(57)【要約】  表示情報を適切な出力形式で表示するための煩わしさを軽減することが可能な表示装置を提供する。  タッチパネル１２は、表示デバイス１１の表示面に対するタッチを検出する。センサ部１３は、装置姿勢を検出する。表示制御部１４は、装置姿勢に応じて、表示面に表示されている表示情報の出力形式を変更する。表示ロック検出部１５は、タッチが検出された場合、表示情報の出力形式の変更をロックする。
2012114592.tif 000002
【特許請求の範囲】
【請求項１】
表示面を有する表示部と、
前記表示面に対するタッチを検出するタッチ検出部と、
装置姿勢を検出する姿勢検出部と、
前記装置姿勢に応じて、前記表示面に表示されている表示情報の出力形式を変更する制御部と、
前記タッチが検出された場合、前記出力形式の変更をロックするロック部と、を有する表示装置。
【請求項２】
前記ロック部は、前記タッチが検出された場合、当該タッチが予め定められた判定条件を満たすと、前記出力形式の変更をロックする、請求項１に記載の表示装置。
【請求項３】
前記判定条件は、前記表示面の複数の箇所に対するタッチを示す、請求項２に記載の表示装置。
【請求項４】
前記判定条件は、前記表示面の特定領域に対するタッチを示す、請求項２または３に記載の表示装置。
【請求項５】
前記判定条件は、前記複数の箇所の間の距離のうち最大距離が特定値以上であることを示す、請求項３に記載の表示装置。
【請求項６】
予め定められたロック解除トリガが発生したか否かを検出し、前記ロック解除トリガが発生した場合、前記出力形式の変更のロックを解除するロック解除部をさらに有する、請求項１ないし５のいずれか１項に記載の表示装置。
【請求項７】
前記表示情報は、複数あり、
前記ロック部は、前記複数の表示情報のうち、少なくとも一つの表示情報の出力形式の変更をロックする、請求項１ないし６のいずれか１項に記載の表示装置。
【請求項８】
前記表示面は、複数あり、
前記ロック部は、前記複数の表示面のうち、少なくとも一つの表示面に表示されている表示情報の出力形式の変更をロックする、請求項１ないし７のいずれか１項に記載の表示装置。
【請求項９】
装置姿勢を検出し、
前記装置姿勢に応じて、表示面に表示されている表示情報の出力形式を変更し、
前記表示面に対するタッチを検出し、
前記タッチが検出された場合、前記出力形式の変更をロックする、表示制御方法。
【請求項１０】
装置姿勢を検出する手順と、
前記装置姿勢に応じて、表示面に表示されている表示情報の出力形式を変更する手順と、
前記表示面に対するタッチを検出する手順と、
前記タッチが検出された場合、前記出力形式の変更をロックする手順と、をコンピュータに実行させるプログラム。
【発明の詳細な説明】
【技術分野】
【０００１】
本発明は、装置姿勢に応じて表示情報の出力形式を変更する表示装置に関する。
【背景技術】
【０００２】
表示装置には、加速度センサなどを用いて検出した装置姿勢に応じて、表示面に表示されている表示情報の出力形式を制御することで、表示情報を適切な出力形式で表示できるものがある。装置姿勢は、例えば、表示面の向きと重力の向きとの相対的な関係で表される。この場合、表示装置は、例えば、表示面が重力の向きに対して略平行になると、表示情報の向きを重力の向きと揃えることで、ユーザが見やすいように表示情報を表示する。【０００３】
しかしながら、上記のような表示装置において、表示情報の出力形式が全て自動的に制御されると、不都合が生じる場合がある。【０００４】
例えば、表示情報の向きを重力の向きと揃える場合、ユーザが、ソファやベッドの上で寝転がり、顔の向きが水平方向を向くと、表示情報の向きがユーザにとって見づらい向きとなる。また、地図などを表示させる場合や他人と一緒に画面を見る場合など、ユーザが表示面を水平にして表示装置を使用する場合、ユーザが表示装置をわずかに傾けただけで表示情報の向きが変更されてしまうことがある。また、ユーザが手に持っていた表示装置を一旦机などに置いて、その後、また取り上げると、表示装置を置いたり取り上げたりするたびに、表示情報の向きが変更されてしまうことがある。【０００５】
また、装置姿勢を、表示面の向きと重力の向きとの相対的な関係ではなく、表示面の向きとユーザの顔の向きとの相対的な関係で表す表示装置も考えられる。この場合、表示装置は、例えば、カメラなどを用いて検出したユーザの顔の向きに応じて、表示情報の出力形式を変更する。しかしながら、このような表示装置でも、表示情報の出力形式が全て自動的に制御されると、カメラが複数のユーザの顔を検出した場合には、頻繁に出力形式が変更され、ユーザに煩わしさを与えることがある。【０００６】
このように表示情報の出力形式が全て自動的に制御されるような表示装置では、不都合が生じるという問題があった。【０００７】
上記の問題を解決することが可能な技術としては、表示情報の出力形式を自動的に制御するか否かをユーザが選択するものが考えられる。しかしながら、この技術では、ユーザは表示情報の出力形式を自動的に制御するか否かを予め設定しておく必要があるため、ユーザにとって不便である。【０００８】
また、予め定められたキーを押下しながら装置姿勢を変えた場合には、表示情報の向きを変更しない表示装置も考えられる。しかしながら、この表示装置では、ユーザは直感的な操作で表示情報の向きを変更することができないので、ユーザがキーの機能を覚えなければならず、ユーザにとって不便である。【０００９】
これに対して、タッチパネルを用いた直感的な操作で表示情報の向きをユーザが変更できる技術が特許文献１および２に記載されている。この技術を用いれば、表示情報の向きが不適切な向きになっても、ユーザが直感的な操作で表示情報の向きを適切な向きに直すことができる。
【先行技術文献】
【特許文献】
【００１０】
【特許文献１】特開２００８−２７４５３号公報
【特許文献２】特開２０１０−２５２１９７号公報
【発明の概要】
【発明が解決しようとする課題】
【００１１】
しかしながら、特許文献１および２に記載の技術では、表示情報の向きが不適切な向きになった場合に、ユーザが表示情報の向きを一々適切な向きに直さなければならず、ユーザに煩わしさを与える可能性が高い。【００１２】
本発明の目的は、表示情報を適切な出力形式で表示するための煩わしさを軽減することが可能な表示装置、表示制御方法およびプログラムを提供することである。
【課題を解決するための手段】
【００１３】
本発明による表示装置は、表示面を有する表示部と、前記表示面に対するタッチを検出するタッチ検出部と、装置姿勢を検出する姿勢検出部と、前記装置姿勢に応じて、前記表示面に表示されている表示情報の出力形式を変更する制御部と、前記タッチが検出された場合、前記出力形式の変更をロックするロック部と、を有する。【００１４】
本発明による表示制御方法は、装置姿勢を検出し、前記装置姿勢に応じて、表示面に表示されている表示情報の出力形式を変更し、前記表示面に対するタッチを検出し、前記タッチが検出された場合、前記出力形式の変更をロックする。【００１５】
本発明によるプログラムは、装置姿勢を検出する手順と、前記装置姿勢に応じて、表示面に表示されている表示情報の出力形式を変更する手順と、前記表示面に対するタッチを検出する手順と、前記タッチが検出された場合、前記出力形式の変更をロックする手順と、をコンピュータに実行させる。
【発明の効果】
【００１６】
本発明によれば、表示情報を適切な出力形式で表示するための煩わしさを軽減することが可能になる。
【図面の簡単な説明】
【００１７】
【図１】本発明の第１の実施形態の表示装置の正面図である。
【図２】本発明の第１の実施形態の表示装置の機能的な構成を示す図である。
【図３】表示情報の出力形式の変化の一例を説明するための図である。
【図４】表示情報の出力形式の変化の他の例を説明するための図である。
【図５Ａ】表示ロック検出部の動作の一例を説明するためのフローチャートである。
【図５Ｂ】表示ロック解除トリガ検出部の動作の一例を説明するためのフローチャートである。
【図５Ｃ】表示制御部１４の動作の一例を説明するためのフローチャートである。
【図６】本発明の第２の実施形態の表示装置を説明するための図である。
【図７】本発明の第３の実施形態の表示装置を説明するための図である。
【図８】本発明の第４の実施形態の表示装置の機能的な構成を示す図である。
【発明を実施するための形態】
【００１８】
以下、本発明の実施形態について図面を参照して説明する。なお、以下の説明では、同じ機能を有するものには同じ符号を付け、その説明を省略する場合がある。
【００１９】
図１は、本発明の第１の実施形態の表示装置の正面図である。図１において、表示装置１は、テキスト情報や画像情報のような種々の表示情報を表示する表示面１００を有する。
【００２０】
図２は、表示装置１の機能的な構成を示す図である。図２において、表示装置１は、表示デバイス１１と、タッチパネル１２と、センサ部１３と、表示制御部１４と、表示ロック検出部１５と、表示ロック解除トリガ検出部１６とを有する。
【００２１】
表示デバイス１１は、表示面１００を有する表示部である。
【００２２】
タッチパネル１２は、表示デバイス１１の表示面１００に対するタッチを検出するタッチ検出部である。タッチとは、接触や押下のことである。
【００２３】
タッチパネル１２は、より具体的には、表示面１００に対するタッチを検出し、表示面１００上のタッチされたタッチ位置を示す位置情報を、表示ロック検出部１５に出力する。このとき、表示面１００の複数の箇所がタッチされた場合、タッチパネル１２は、複数の箇所に対応する複数のタッチ位置のそれぞれを示す複数の位置情報を表示ロック検出部１５に出力する。
【００２４】
センサ部１３は、表示装置１の装置姿勢を検出し、その装置姿勢を示す姿勢情報を表示制御部１４に出力する姿勢検出部である。例えば、センサ部１３は、加速度センサや角速度センサなどを用いて、表示面１００の向きと重力の向きとの相対的な関係を装置姿勢として検出する。また、センサ部１３は、カメラなどを用いてユーザの顔の向きを検出し、表示面１００の向きとユーザの顔の向きとの相対的な関係を装置姿勢として検出してもよい。
【００２５】
表示制御部１４は、センサ部１３からの姿勢情報に応じて、表示デバイス１１の表示面１００に表示されている表示情報の出力形式を変更する。表示情報の出力形式は、表示情報の向き、表示情報の位置、表示情報の大きさなどを表す。なお、表示情報の向きは、表示面１００との相対的な向きで定義される。例えば、表示情報の向きは、表示面１００内の２方向（図１のＸＹ方向）に対する向きで定義される。
【００２６】
より具体的には、表示制御部１４は、姿勢情報に基づいて、表示装置１の装置姿勢が変更条件を満たすか否かを判断する。そして、表示装置１の装置姿勢が変更条件を満たす場合、表示制御部１４は、姿勢情報に基づいて、表示情報の出力形式を変更する。
【００２７】
例えば、図３で示すように、表示装置１が表示面１００の法線を軸として所定角度（例えば、９０度程度）以上回転した場合、表示制御部１４は、表示情報の向きを表示装置１の回転方向とは逆方向に９０度回転させる。この場合、例えば、図３の矢印で示したように、表示情報の向きが＋Ｙ方向から−Ｘ方向に変化する。
【００２８】
また、表示制御部１４は、表示面１００の法線を軸とする表示装置１の回転ではなく、表示面１００の接線を軸とする表示装置１の回転に応じて、表示情報の表示形式を変更してもよい。この場合、ユーザが表示装置１を傾けると、その傾きに応じて表示情報を傾けることができる。さらに、表示制御部１４は、装置姿勢に応じて、表示情報の拡大・縮小や平行移動などを行ってもよい。
【００２９】
表示ロック検出部１５は、タッチパネル１２でタッチが検出された場合に、表示制御部１４による表示情報の出力形式の変更をロックする表示ロックを行うロック部である。
【００３０】
より具体的には、表示ロック検出部１５は、タッチパネル１２から位置情報を受け付け、その位置情報に基づいて、表示面１００に対するタッチが予め定められた判定条件を満たすか否かを判断する。そのタッチが判定条件を満たす場合、表示ロック検出部１５は、表示制御部１４に対する表示ロックを行う。
【００３１】
これにより、表示装置１の装置姿勢が変化しても表示情報の出力形式が変更されないようにすることができる。例えば、図３で示したように、表示装置１が所定値以上回転したときに表示情報の向きが回転するような場合でも、判定条件を満たすタッチが行われると、図４で示したように、表示情報の回転をロックすることができる。
【００３２】
表示ロック解除トリガ検出部１６は、予め定められたロック解除トリガが発生したか否かを検出し、ロック解除トリガが発生した場合、表示ロック検出部１５が表示制御部１４に対して行った表示ロックを解除する。
【００３３】
次に表示装置１の動作について説明する。
【００３４】
図５Ａは、表示ロック検出部１５の動作の一例を説明するためのフローチャートである。
【００３５】
先ず、表示ロック検出部１５は、タッチパネル１２から受け付けた位置情報に基づいて、表示面１００に対するタッチが判定条件を満たすか否かを判断する（ステップＳ１０１）。判定条件は、本実施形態では、表示面１００の複数の箇所に対するタッチであるとする。この場合、表示ロック検出部１５は、複数の位置情報を受け付けると、表示面１００に対するタッチが判定条件を満たすと判断する。
【００３６】
タッチが判定条件を満たさない場合、表示ロック検出部１５は、表示制御部１４に対する表示ロックを行わずに（ステップＳ１０２）、処理を終了する。
【００３７】
一方、タッチが判定条件を満たす場合、表示ロック検出部１５は、表示ロックを行うために、表示ロックを行う旨の表示ロックコマンドを表示制御部１４に出力する。そして、表示ロック検出部１５は、判定条件を満たすタッチが検出されている間、表示ロックコマンドを出力し続け、判定条件を満たすタッチが検出されなくなると、表示ロックコマンドの出力を停止して（ステップＳ１０３）、処理を終了する。
【００３８】
図５Ｂは、表示ロック解除トリガ検出部１６の動作の一例を説明するためのフローチャートである。
【００３９】
先ず、表示ロック解除トリガ検出部１６は、ロック解除トリガが発生したか否かを検出する（ステップＳ２０１）。
【００４０】
ロック解除トリガが発生していない場合、表示ロック解除トリガ検出部１６は、表示制御部１４に対する表示ロックの解除を行わずに（ステップＳ２０２）、処理を終了する。
【００４１】
一方、ロック解除トリガが発生した場合、表示ロック解除トリガ検出部１６は、表示ロックの解除を行うために、表示ロックの解除を行う旨の表示ロック解除コマンドを表示制御部１４に出力して（ステップＳ２０３）、処理を終了する。
【００４２】
図５Ｃは、表示制御部１４の動作の一例を説明するためのフローチャートである。
【００４３】
表示制御部１４は、センサ部１３から受け付けた姿勢情報に基づいて、表示デバイス１１の表示面１００に表示されている表示情報の出力形式を変更するか否かを判断する（ステップＳ３０１）。
【００４４】
表示情報の出力形式を変更する場合、表示制御部１４は、表示ロックを行うか否かを判断する（ステップＳ３０２）。
【００４５】
例えば、表示制御部１４は、表示情報の出力形式を変更すると判断したときに、表示ロック検出部１５から表示ロックコマンドが出力されているか否かを確認し、表示ロックコマンドが出力されていると、表示ロックを行う。また、表示制御部１４は、表示ロックコマンドの出力を監視して、表示ロックコマンドが出力されたときに、その表示ロックコマンドを保持しておき、表示情報の出力形式を変更すると判断したときに、表示ロックコマンドを保持していると、表示ロックを行うと判断してもよい。
【００４６】
表示ロックを行わない場合、表示制御部１４は、姿勢情報に応じて表示面１００に表示されている表示情報の出力形式を変更し（ステップＳ３０３）、処理を終了する。
【００４７】
一方、表示ロックを行う場合、表示制御部１４は、表示面１００に表示されている表示情報の出力形式を、現在の出力形式に固定したままにする表示ロック設定を行う（ステップＳ３０４）。
【００４８】
そして、表示制御部１４は、表示ロック解除トリガ検出部１６から表示ロック解除コマンドが出力されたか否かを確認して、ロック解除トリガが検出されたか否かを判断する（ステップＳ３０５）。
【００４９】
ロック解除トリガが検出されてない場合、表示制御部１４は、ステップＳ３０４の処理に戻る。
【００５０】
一方、ロック解除トリガが検出されている場合、表示制御部１４は、表示ロック設定を解除して（ステップＳ３０６）、ステップＳ３０１の処理に戻る。
【００５１】
なお、表示ロック検出部１５は、判定条件を満たすタッチが行われている間、表示ロックを行う旨のロック状態指示を保持する。そして、表示ロック解除トリガ検出部１６は、ロック解除トリガを検出すると、表示ロックの解除を行う旨のロック解除指示を保持する構成でもよい。
【００５２】
この場合、図５ＣのステップＳ３０２において、表示制御部１４は、表示ロック検出部１５がロック状態指示を保持しているか否かを確認して、表示ロックを行うか否かを判断する。また、ステップＳ３０５では、表示制御部１４は、表示ロック解除トリガ検出部１６がロック解除指示を保持しているか否かを確認して、ロック解除トリガが検出されたか否かを判断する。ロック解除トリガが検出されている場合、ステップＳ３０６において、表示制御部１４は、表示ロック解除トリガ検出部１に保持されているロック解除指示と、表示ロック検出部１５が保持しているロック状態指示とを削除するとともに、表示ロック設定を解除して、ステップＳ３０１の処理に戻る。
【００５３】
また、以上説明した動作において、判定条件は、複数の箇所に対するタッチであるとしたが、この例に限らず、以下のような条件またはその組み合わせなどでもよい。
【００５４】
例えば、判定条件は、複数の箇所に対するタッチであり、かつ、各箇所の間の距離のうち最大距離が予め定められた特定値以上であることを示してもよい。この場合、表示ロック検出部１５は、タッチパネル１２から複数の位置情報を受け付けると、それらの位置情報に基づいて最大距離を求め、その最大距離が特定値以上か否かを判断する。そして、最大距離が特定値以上であると、表示ロック検出部１５は、表示ロックを行う。
【００５５】
また、判定条件は、表示面１００上の予め定められた特定領域に対するタッチを示してもよい。この場合、表示ロック検出部１５は、特定領域に対応するタッチ位置の範囲である領域範囲を予め保持し、タッチパネル１２から位置情報を受け付けると、その位置情報が示すタッチ位置が領域範囲に含まれるか否かを判断する。タッチ位置が領域範囲に含まれていると、表示ロック検出部１５は、表示ロックを行う。
【００５６】
特定領域は、一つでもよいし複数でもよい。特定領域が複数ある場合、判定条件は、その複数の特定領域のいずれかに対するタッチを示してもよいし、その複数の特定領域の全てに対するタッチを示してもよい。なお、特定領域は、例えば、表示面１００の左右両端付近の領域や、表示面１００の上下両端付近の領域や、ソフトウェアキーボードにおける特定のキーが表示されている領域などである。また、ユーザが特定領域を判別しやすいように、表示制御部１４は特定領域を指す情報を表示面１００に表示してもよい。
【００５７】
また、判定条件は、３つ以上の箇所に対するタッチを示してもよい。この場合、表示面１００に対する２つの箇所に対するタッチを、例えば、表示情報を拡大または縮小するピンチ操作などに割り当てることができる。
【００５８】
また、表示ロックを解除するための表示ロック解除トリガとしては、以下のような事象またはその組み合わせなどが挙げられる。
【００５９】
例えば、表示ロック解除トリガは、センサ部１３が検出した装置姿勢が予め定められた解除条件を満たすことである。解除条件としては、表示制御部１４が表示形式を変更するための変更条件と同じでもよいし、予め定められた閾値以上の加速度が検出されたことを示してもよいし、互いに異なる向きの加速度が所定期間内に所定数以上検出されたことを示してもよい。
【００６０】
解除条件が変更条件と同じ場合、表示ロックが行われた後でユーザが表示装置１を表示情報の出力形式が変更するように動かしたときに、表示ロックが解除されることになる。また、解除条件が閾値以上の加速度が検出されたことを示す場合、ユーザが表示装置１を強く動かしたときに、表示ロックが解除されることになる。また、解除条件が互いに異なる向きの加速度が所定期間内に所定数以上連続して検出されたことを示す場合、表示装置１を振ったときに表示ロックが解除されることになる。
【００６１】
また、表示ロック解除トリガは、表示ロックが行われた後で所定の時間が経過したことや、表示ロックが行われた後でユーザ操作が行われたこと、表示ロックが行われた後でユーザ操作が行われないまま所定の時間が経過したことなどでもよい。なお、ユーザ操作とは、表示面１００に対するタッチでもよいし、ハードウェアキーなどのようなタッチパネル１２以外の操作装置を表示装置１が備えている場合には、その操作装置に対する操作でもよいし、表示面１００に対するタッチと操作装置に対する操作の両方でもよい。
【００６２】
さらに、表示制御部１４がアプリケーションプログラムを実行し、そのアプリケーションプログラムの画面を表示情報として表示面１００に表示している場合、表示ロック解除トリガは、その実行中のアプリケーションプログラムが終了したことでもよい。
【００６３】
以上説明したように本実施形態によれば、表示面１００に対するタッチが検出された場合、表示情報の出力形式の変更がロックされる。このため、ユーザは、表示情報の出力形式が変更して欲しくない場合、物体が動かないように指で押さえるような感覚で表示面１００をタッチすれば、表示情報の出力形式の変更をロックすることが可能になる。したがって、ユーザは、直感的な操作を行うことで、表示情報が不適切な出力形式で表示されることを防止することができるので、表示情報を適切な出力形式で表示するための煩わしさを軽減することができる。
【００６４】
次に本発明の第２の実施形態について説明する。
【００６５】
第１の実施形態では、表示ロック検出部１５は、表示面１００に表示されている表示情報の出力形式の変更を一括してロックしていた。本実施形態では、表示情報が複数ある場合、表示ロック検出部１５は、その複数の表示情報の少なくとも一つの出力形式の変更をロックする。
【００６６】
例えば、図６で示すように、表示制御部１４は、表示情報としてウィンドウ６０１および６０２を表示面１００に表示したとする。このとき、タッチパネル１２でタッチが検出されると、表示ロック検出部１５は、例えば、アクティブなウィンドウ（ウィンドウ６０２とする）の表示ロックを行う旨の表示ロックコマンドを表示制御部１４に出力する。表示制御部１４は、その表示ロックコマンドを受け付けると、アクティブなウィンドウに対する表示ロックを行う。
【００６７】
この場合、図６で示したように、装置姿勢が変更条件を満たすように表示装置１が動かされると、アクティブなウィンドウ６０２の出力形式は変更されず、それ以外のウィンドウ６０１の出力形式が変更される。
【００６８】
また、表示ロック検出部１５は、タッチが行われた箇所に表示されているウィンドウに対する表示ロックを行ってもよい。
【００６９】
次に本発明の第３の実施形態について説明する。
【００７０】
本実施形態では、表示デバイス１１が複数の表示面を有するものとする。この場合、表示ロック検出部１５は、その複数の表示面のうち、少なくとも一つの表示面に表示されている表示情報の出力形式の変更をロックする。
【００７１】
例えば、図７で示すように２つの表示面１００Ａおよび１００Ｂが存在する場合、表示ロック検出部１５は、タッチが行われた表示面１００に表示されている表示情報に対する表示ロックを行う。
【００７２】
次に本発明の第４の実施形態について説明する。
【００７３】
図８は、本発明の第４の実施形態の表示装置の構成を示す図である。図８に示す表示装置は、表示デバイス１１と、タッチパネル１２と、センサ部１３と、表示制御部１４と、表示ロック検出部１５とを有する。
【００７４】
図８で示した表示装置では、タッチパネル１２は、表示デバイス１１の表示面に対するタッチを検出する。センサ部１３は、装置姿勢を検出する。表示制御部１４は、装置姿勢に応じて、表示面に表示されている表示情報の出力形式を変更する。表示ロック検出部１５は、タッチが検出された場合、表示情報の出力形式の変更をロックする。
【００７５】
したがって、本実施形態でも、表示面１００に対するタッチが検出された場合、表示情報の出力形式の変更がロックされるので、表示情報を適切な出力形式で表示するための煩わしさを軽減することができる。
【００７６】
なお、以上説明した表示装置１の機能は、その機能を実現するためのプログラムを、コンピュータにて読み取り可能な記録媒体に記録して、この記録媒体に記録されたプログラムをコンピュータに読み込ませ実行させることで、実現されてもよい。
【００７７】
以上説明した各実施形態において、図示した構成は単なる一例であって、本発明はその構成に限定されるものではない。また、本発明は、パソコン（Personal computer）、携帯電話、電子ブック端末などのポータブル機器などに適用することができる。
【００７８】
また、上記の各実施形態の一部又は全部は、以下の付記のように記載することが可能であるが、以下には限定されない。
【００７９】
[付記１]
表示面を有する表示部と、
前記表示面に対するタッチを検出するタッチ検出部と、
装置姿勢を検出する姿勢検出部と、
前記装置姿勢に応じて、前記表示面に表示されている表示情報の出力形式を変更する制御部と、
前記タッチが検出された場合、前記出力形式の変更をロックするロック部と、を有する表示装置。
【００８０】
[付記２]
予め定められたロック解除トリガが発生したか否かを検出し、前記ロック解除トリガが発生した場合、前記出力形式の変更のロックを解除するロック解除部をさらに有する、付記１に記載の表示装置。
【００８１】
[付記３]
前記ロック解除トリガは、前記装置姿勢が予め定められた解除条件を満たすことを含む、付記２に記載の表示装置。
【００８２】
[付記４]
前記制御部は、前記装置姿勢が予め定められた変更条件を満たす場合、前記出力形式を変更し、
前記解除条件は、前記変更条件と同じ内容を含む、付記３に記載の表示装置。
【００８３】
[付記５]
前記姿勢検出部は、加速度を前記装置姿勢として検出し、
前記解除条件は、前記姿勢検出部が閾値以上の加速度を検出したことを含む、付記３または４に記載の表示装置。
【００８４】
[付記６]
前記ロック解除トリガは、前記ロックが行われてから所定時間が経過したことを含む、付記３ないし５のいずれか１項に記載の表示装置。
【００８５】
[付記７]
前記ロック解除トリガは、前記ロックが行われてから前記タッチが検出されないまま所定時間が経過したことを含む、付記３ないし５のいずれか１項に記載の表示装置。
【００８６】
[付記８]
前記ロック解除トリガは、前記タッチが検出されたことを含む、付記３ないし７のいずれか１項に記載の表示装置。
【００８７】
[付記９]
前記制御部は、アプリケーションプログラムを実行し、当該アプリケーションプログラムの画面を前記表示情報として前記表示面に表示し、
前記ロック解除トリガは、前記アプリケーションプログラムが終了したことを含む、付記３ないし８に記載の表示装置。
【００８８】
この出願は、２０１１年２月２１日に出願された日本出願特願２０１１−０３４７０２号公報を基礎とする優先権を主張し、その開示の全てをここに取り込む。
【符号の説明】
【００８９】
１        表示装置
１１      表示デバイス
１２      タッチパネル
１３      センサ部
１４      表示制御部
１５      表示ロック検出部
１６      表示ロック解除トリガ検出部
１００    表示面
【図１】
2012114592.tif 000003
【図２】
2012114592.tif 000004
【図３】
2012114592.tif 000005
【図４】
2012114592.tif 000006
【図５Ａ】
2012114592.tif 000007
【図５Ｂ】
2012114592.tif 000008
【図５Ｃ】
2012114592.tif 000009
【図６】
2012114592.tif 000010
【図７】
2012114592.tif 000011
【図８】
2012114592.tif 000012
【国際調査報告】
2012114592.tif 000013
2012114592.tif 000014